(57)【要約】【課題】  灰受け皿を回すという簡単な操作を行うだけで吸殻落し孔から落ちる吸殻の位置を変えて吸殻受け容器の大きさに見合うより多くの吸殻を吸殻受け容器に溜めおくことを可能にする。【解決手段】  吸殻受け容器５と、吸殻落し孔２を備えて吸殻受け容器５に着脱可能な灰受け皿１とを有する。灰受け皿１が吸殻受け容器５に対して回転自在であり、吸殻落し孔２を灰受け皿１の回転中心Ｐに対する偏心箇所に設ける。灰受け皿１の周囲複数箇所にタバコを保持して灰受け皿１に位置決めするためのタバコ保持部３を区画形成する。【選択図】        図１
0003111812.tif 000002
【実用新案登録請求の範囲】
【請求項１】
吸殻受け容器と、吸殻落し孔を備えて上記吸殻受け容器に着脱可能な灰受け皿と、を有する灰皿において、
上記灰受け皿が吸殻受け容器に対して回転自在であり、かつ、上記吸殻落し孔が上記灰受け皿の回転中心に対する偏心箇所に設けられていることを特徴とする灰皿。
【請求項２】
上記灰受け皿の周囲複数箇所にタバコを保持して当該灰受け皿に位置決めするためのタバコ保持部が区画形成されている請求項１に記載した灰皿。
【考案の詳細な説明】
【技術分野】
【０００１】
本考案は、灰皿、特に、灰受け皿の吸殻落し孔から落し込んだ吸殻が吸殻受け容器に溜まり、その吸殻受け容器に溜まった吸殻を灰受け皿を取り外して捨てることができるようになっている灰皿に関する。
【背景技術】
【０００２】
浅底の灰受け皿を吸殻受け容器に着脱可能としたこの種の灰皿は、たとえば自動車の運転席近くに設置して使用されていた。そして、従来の灰皿では、図６に平面図で示したように、灰受け皿１の底面１２がその中央に向かう下がり勾配を有していて、その中央位置である最も低位で吸殻落し孔２が開口していた。また、灰受け皿１の外周部の周方向１箇所だけに、タバコ（不図示）を保持して当該灰受け皿１に位置決めするためのタバコ保持部３が区画形成されていた。このタバコ保持部３の構造には種々のものが採用されていて、図例では、相対向する一対の突片によってこのタバコ保持部３が形成されていて、タバコをそれらの突片の相互間に挟み込んで位置決めするようになっている。
【考案の開示】
【考案が解決しようとする課題】
【０００３】
上記した従来の灰皿では、灰受け皿１の中央に吸殻落し孔２が形成されていたため、その吸殻落し孔２から次々に落し込まれた吸殻が、灰受け皿１が取り付けられている吸殻受け容器の同じ場所に次々と積み重なるだけでなく、灰受け皿１の中の灰も吸殻落し孔２から吸殻受け容器内の同じ場所に落ちて堆積する。そのため、吸殻受け容器を大きくしておいても、その吸殻受け容器の内部空間の一部だけが吸殻を溜めることに使われ、内部空間の他部は吸殻を溜めるのに有効に活用されなくなり、吸殻受け容器の大きさの割りに吸殻を溜められる量が少なくなって、溜まった吸殻を頻繁に捨てなければならないという煩わしさがあった。また、ある程度吸殻が溜まったときに灰皿を振り動かして吸殻受け容器の中で積み重なっている吸殻の山を崩すということを行うこともあるけれども、頻繁にそのような作業を行うことは面倒である。
【０００４】
本考案は以上の状況の下でなされたものであり、灰受け皿の吸殻落し孔から落ちる吸殻の位置を簡単な操作で変えることを可能にすることによって、吸殻受け容器の大きさに見合う量の吸殻を溜めることができるようにし、併せて、吸殻受け容器に溜まった吸殻を捨てなければならない頻度を従来よりも少なくすることを可能にする灰皿を提供することを目的とする。
【課題を解決するための手段】
【０００５】
本考案に係る灰皿は、吸殻受け容器と、吸殻落し孔を備えて上記吸殻受け容器に着脱可能な灰受け皿と、を有する灰皿において、上記灰受け皿が吸殻受け容器に対して回転自在であり、かつ、上記吸殻落し孔が上記灰受け皿の回転中心に対する偏心箇所に設けられている、というものである。
【０００６】
この灰皿によると、吸殻落し孔が上記灰受け皿の回転中心に対する偏心箇所に設けられているために、灰受け皿を回転させるだけで吸殻落し孔から吸殻受け容器に落し込まれる吸殻の位置が変わる。そのため、吸殻受け容器に吸殻がある程度溜まった時点で灰受け皿を回転させることにより、吸殻の落ちる位置が変わってより多くの吸殻を吸殻受け容器に溜められるようになる。
【０００７】
この考案では、上記灰受け皿の周囲複数箇所にタバコを保持して当該灰受け皿に位置決めするためのタバコ保持部が区画形成されていることが望ましい。これによれば、灰受け皿を回転させても、その周囲複数箇所に区画形成されているタバコ保持部のうちのどれかが使用者の側に位置するようになる。そのため、灰受け皿を回転させて多くの吸殻を吸殻受け容器に溜められるようにしても、当該灰皿の使い勝手が損なわれることがない。
【考案の効果】
【０００８】
以上のように、本考案に係る灰皿は、灰受け皿を回すという簡単な操作を行うだけで吸殻落し孔から落ちる吸殻の位置を変えて吸殻受け容器の大きさに見合うより多くの吸殻を吸殻受け容器に溜めおくことができるようになる。そのため、吸殻受け容器に溜まった吸殻を捨てなければならない頻度が従来よりも少なくなる。また、灰受け皿の周囲複数箇所にタバコ保持部を区画形成しておくことにより、灰受け皿を回転させて多くの吸殻を吸殻受け容器に溜められるようにしても、複数箇所のタバコ保持部のうちのどれかが使用者の側に位置するようになって当該灰皿の使い勝手が損なわれないという利点もある。
【考案を実施するための最良の形態】
【０００９】
図１は本考案に係る灰皿の概略斜視図、図２は同灰皿の分解斜視図、図３は同灰皿の灰受け皿の平面図、図４及び図５は使用状態説明図である。
【００１０】
図１又は図２のように、この灰皿は、有底上拡がり円筒形の吸殻受け容器５と、吸殻落し孔２を備える灰受け皿１とを有している。灰受け皿１の吸殻落し孔２は、灰受け皿１と一体に形成されている下向き筒部４の内部通路によって形成され、その直径は、タバコの直径と略同等に形成されている。また、灰受け皿１は、リング状のホルダー６に回転自在に取り付けられていて、そのホルダー６を吸殻受け容器５の上端に取り付けることによって吸殻受け容器５に装着されている。さらに、灰受け皿１の底面１２には、その回転中心Ｐに対して偏心した１箇所に向く下がり勾配が付与されていると共に、その偏心箇所である最も低位で吸殻落し孔２が開口している。さらに、灰受け皿１の周囲等角度おきの４箇所に、相対向する一対の突片によって区画形成されたタバコ保持部３が備わり、タバコをそれらの突片の相互間に挟み込んで位置決めすることができるようになっている。
【００１１】
なお、図例の灰皿では、上記ホルダー６に灰受け皿１を開閉するための開閉蓋６１がヒンジ６２を支点として開閉可能に取り付けられていると共に、その開閉蓋６１を閉位置でロックしたりロック解除を行うためのロック機構６３が設けられている。
【００１２】
以上の構成を備える灰皿は、たとえば自動車の運転席の近くに設置して使用され、その際には、吸殻受け容器５を自動車の飲料容器受けなどに装着することも可能である。
【００１３】
この灰皿において、使用者は火のついたタバコを手元側に位置しているタバコ保持部３を選んでそこにタバコを位置決めさせておくことが可能である。また、吸い終わったタバコを吸殻落し孔２から吸殻受け容器５に落し込んで溜めておくことが可能である。
【００１４】
ここで、図４のように、吸殻１０や灰が吸殻落し孔２から次々に吸殻受け容器５に落し込まれた場合、その吸殻１０や灰は吸殻落し孔２の直下で吸殻受け容器５内に溜まって次々と積み重なったり堆積したりするので、引き続いて吸殻１０などを落し込むことができなくなることもある。しかし、この灰皿では、吸殻落し孔２が灰受け皿１の回転中心Ｐに対する偏心箇所に設けられているために、灰受け皿１を回転させるだけで吸殻落し孔２から吸殻受け容器５に落し込まれる吸殻の位置が変わる。たとえば、灰受け皿１を図４に示した位置から矢印Ａのように１８０度回転させると、図５のように吸殻落し孔２の位置が吸殻１０の溜まっていない箇所に移動する。そのため、吸殻受け容器５に吸殻１０がある程度溜まった時点で灰受け皿１を回転させることにより、吸殻の落ちる位置が変わってより多くの吸殻１０を吸殻受け容器５に溜められるようになる。また、上記のように灰受け皿１を回転させても、その周囲４箇所に区画形成されているタバコ保持部３のうちのどれかが使用者の側に位置するようになって使用者は手元側に位置するタバコ保持部３を選んで火のついたタバコを位置決めしておくことが可能であるので、灰受け皿１を回転させて多くの吸殻１０を吸殻受け容器５に溜められるようにしても、その灰皿の使い勝手が損なわれることはない。
【００１５】
吸殻受け容器５に溜まった吸殻１０や灰は、ホルダー６をその吸殻受け容器５から取り外して捨てることができる。
【図面の簡単な説明】
【００１６】
【図１】本考案に係る灰皿の概略斜視図である。
【図２】同灰皿の分解斜視図である。
【図３】同灰皿の灰受け皿の平面図である。
【図４】使用状態説明図である。
【図５】使用状態説明図である。
【図６】従来の灰皿の灰受け皿の平面図である。
【符号の説明】
【００１７】
１  灰受け皿
２  吸殻落し孔
３  タバコ保持部
５  吸殻受け容器
Ｐ  灰受け皿の回転中心
【図１】
0003111812.tif 000003
【図２】
0003111812.tif 000004
【図３】
0003111812.tif 000005
【図４】
0003111812.tif 000006
【図５】
0003111812.tif 000007
【図６】
0003111812.tif 000008